(57)【特許請求の範囲】
【請求項１】
遊技場に配置された複数のパチンコ台と接続され、これらパチンコ台を管理するパチンコ台管理装置と、
前記各パチンコ台ごとにそれぞれ併設され、当該パチンコ台へパチンコ玉を供給するとともに、その供給に応じた額だけ利用者ごとに発行されたカード内に記憶されている有価価値情報を減算する複数のカード処理装置と、
前記各カード処理装置と接続され、これらカード処理装置を管理するカード管理装置と、
前記カードを発行した利用者の認証情報とその利用者のカード内に記憶されている有価価値情報を含む利用者データを管理するカード管理センタと、
前記パチンコ台管理装置と前記カード管理装置とに接続され、前記カード管理装置により前記カード管理センタからダウンロードされた各利用者の利用者データを記憶する利用者データ管理装置とを備え、
前記パチンコ台管理装置は、通信網を介した利用者からの予約要求を受け付けて、その予約要求で通知された前記利用者の認証情報を含む予約可否判断要求を前記利用者データ管理装置へ送信するとともに、これに応じた前記利用者データ管理装置からの予約許可通知に応じて、当該利用者の所望するパチンコ台に対して前記認証情報を含む予約指示を行い、
前記利用者データ管理装置は、前記パチンコ台管理装置からの予約可否判断要求に応じて、その予約可否判断要求に含まれる認証情報の正当性を、当該利用者データ管理装置で記憶している前記利用者データにより確認するとともに、その利用者データに含まれる有価価値情報が所定残高以上であることを確認し、これら正当性および残高の確認が得られた場合にのみ予約許可通知を前記パチンコ台管理装置へ通知し、
前記パチンコ台は、前記パチンコ台管理装置からの予約指示に応じて当該パチンコ台が予約状態であることを記憶するとともに、前記予約指示に含まれる認証情報を含む予約指示を当該カード処理装置へ通知し、そのカード処理装置からの予約者確認通知に応じて前記予約状態を解除して遊技可能状態とし、
前記カード処理装置は、予約者確認操作を受け付けるための操作入力部を有し、前記パチンコ台から通知された予約指示に応じてカード投入口を閉扉するとともにその予約指示に含まれる前記認証情報を記憶しておき、前記操作入力部で当該パチンコ台で遊戯を開始する際の予約者確認操作が行われた場合は、その際入力された操作内容と前記記憶しておいた認証情報とを比較して、その一致によりカード投入口を開扉し、その後投入された前記利用者のカード内に記憶されている認証情報と、前記記憶しておいた認証情報とを比較し、その一致により前記利用者が予約者であると確認された場合にのみ、当該パチンコ台へのパチンコ玉を供給可と判断するとともに、遊技許可を示す予約者確認通知を当該パチンコ台へ通知することを特徴とする遊技システム。
【請求項２】
遊技場に配置された複数のパチンコ台と接続され、これらパチンコ台を管理するパチンコ台管理装置と、
前記各パチンコ台ごとにそれぞれ併設され、当該パチンコ台へパチンコ玉を供給するとともに、その供給に応じた額だけ利用者ごとに発行されたカード内に記憶されている有価価値情報を減算する複数のカード処理装置と、
前記各カード処理装置と接続され、これらカード処理装置を管理するカード管理装置と、
前記カードを発行した利用者の認証情報とその利用者のカード内に記憶されている有価価値情報を含む利用者データを管理するカード管理センタと、
前記パチンコ台管理装置と前記カード管理装置とに接続され、前記カード管理装置により前記カード管理センタからダウンロードされた各利用者の利用者データを記憶する利用者データ管理装置とを備え、
前記パチンコ台管理装置は、通信網を介した利用者からの予約要求を受け付けて、その予約要求で通知された前記利用者の認証情報の正当性を、前記利用者データ管理装置で記憶する利用者データに基づき確認するとともに、その利用者データに含まれる有価価値情報が所定残高以上であることを確認し、これら正当性および残高の確認が得られた場合にのみ、当該利用者の所望するパチンコ台に対して前記認証情報を含む予約指示を行い、
前記パチンコ台は、前記パチンコ台管理装置からの予約指示に応じて当該パチンコ台が予約状態であることを記憶するとともに、前記予約指示に含まれる認証情報を含む予約指示を当該カード処理装置へ通知し、そのカード処理装置からの予約者確認通知に応じて前記予約状態を解除して遊技可能状態とし、
前記カード処理装置は、予約者確認操作を受け付けるための操作入力部を有し、前記パチンコ台から通知された予約指示に応じてカード投入口を閉扉するとともにその予約指示に含まれる前記認証情報を記憶しておき、前記操作入力部で当該パチンコ台で遊戯を開始する際の予約者確認操作が行われた場合は、その際入力された操作内容と前記記憶しておいた認証情報とを比較して、その一致によりカード投入口を開扉し、その後投入された前記利用者のカード内に記憶されている認証情報と、前記記憶しておいた認証情報とを比較し、その一致により前記利用者が予約者であると確認された場合にのみ、当該パチンコ台へのパチンコ玉を供給可と判断するとともに、遊技許可を示す予約者確認通知を当該パチンコ台へ通知することを特徴とする遊技システム。
【請求項３】
請求項１または２記載の遊技システムにおいて、
前記パチンコ台または前記カード処理装置に設けられ、当該パチンコ台が予約状態であることを表示する予約表示手段をさらに備えることを特徴とする遊技システム。
【請求項４】
請求項１または２記載の遊技システムにおいて、
前記カード処理装置は、前記利用者が予約者であると確認された場合に、当該利用者のカード内に記憶されている有価価値情報からその予約料を減額することを特徴とする遊技システム。
【請求項５】
請求項１または２記載の遊技システムにおいて、
前記カード処理装置は、カード投入口の開扉操作を受け付けるための操作入力部を有し、前記パチンコ台から通知された予約指示に応じてカード投入口を閉扉するとともにその予約指示に含まれる前記認証情報を記憶しておき、前記操作入力部での当該パチンコ台で遊戯を開始する際の開扉操作に応じてカード投入口を開扉し、その後投入された前記利用者のカード内に記憶されている認証情報と、前記記憶しておいた認証情報とを比較し、その一致により前記利用者が予約者であると確認された場合にのみ、当該パチンコ台へのパチンコ玉を供給可と判断するとともに、遊技許可を示す予約者確認通知を当該パチンコ台へ通知することを特徴とする遊技システム。
【請求項６】
請求項１または２記載の遊技システムにおいて、
前記カード処理装置は、前記カード投入口を開扉する際、前記操作入力部から入力されたカード識別情報または暗証情報と、前記認証情報に含まれている予め前記各利用者ごとに設定したカード識別情報または暗証情報とを比較し、その一致に応じて前記カード投入口を開扉することを特徴とする遊技システム。
【請求項７】
遊技場に配置された複数のパチンコ台と接続され、これらパチンコ台を管理するパチンコ台管理装置と、前記各パチンコ台ごとにそれぞれ併設され、当該パチンコ台へパチンコ玉を供給するとともに、その供給に応じた額だけ利用者ごとに発行されたカード内に記憶されている有価価値情報を減算する複数のカード処理装置と、前記各カード処理装置と接続され、これらカード処理装置を管理するカード管理装置と、前記カードを発行した利用者の認証情報とその利用者のカード内に記憶されている有価価値情報を含む利用者データを管理するカード管理センタと、前記パチンコ台管理装置と前記カード管理装置とに接続され、前記カード管理装置により前記カード管理センタからダウンロードされた各利用者の利用者データを記憶する利用者データ管理装置とからなる遊技システムで用いられるカード処理装置であって、
予約者確認操作を受け付けるための操作入力部を有し、
通信網を介した利用者からの予約要求に応じた前記パチンコ台管理装置からの予約指示を当該パチンコ台を介して受信し、その予約指示に応じてカード投入口を閉扉するとともにその予約指示に含まれる前記予約要求で通知された前記利用者の認証情報を記憶しておき、前記操作入力部から当該パチンコ台で遊戯を開始する際の予約者確認操作が行われた場合は、その際入力された操作内容と前記記憶しておいた認証情報とを比較して、その一致によりカード投入口を開扉し、その後投入された前記利用者のカード内に記憶されている認証情報と、前記記憶しておいた認証情報とを比較し、その一致により前記利用者が予約者であると確認された場合にのみ、当該パチンコ台へのパチンコ玉を供給可と判断するとともに、遊技許可を示す予約者確認通知を当該パチンコ台へ通知することを特徴とするカード処理装置。
【発明の詳細な説明】
【０００１】
【発明の属する技術分野】
本発明は、遊技システム、パチンコ台管理装置、パチンコ台およびカード処理装置に関し、特にパチンコ店に設置されているパチンコ台の予約を行う遊技システム、パチンコ台管理装置、パチンコ台およびカード処理装置に関するものである。
【０００２】
【従来の技術】
パチンコ店など複数の遊技機が設置されている遊技場では、利用者の多様なニーズに応えるため、さらにはよりよいサービスを提供するため、各種の遊技機を設置している。
例えば、パチンコ店では、機能、デザイン、表示内容、役などの構成が異なる複数種のパチンコ台を設置している。また、各パチンコ台は、個々の特性に応じて出玉状況にばらつきもある。
【０００３】
したがって、利用者は、自分の好みや出玉状況などを考慮して、使用するパチンコ台を選択するものとなっている。
一方、パチンコ店では、利用者が任意のパチンコ台を用いて遊技を行う場合、各パチンコ台ごとに最先の利用者に対してその優先使用権を認めている。すなわち、先にパチンコ台で遊技を開始した利用者が当該パチンコ台を優先して使用できるのである。
【０００４】
【発明が解決しようとする課題】
しかしながら、従来、利用者が所望のパチンコ台を優先して使用するためには、パチンコ店の開店と同時に他の利用者より先に所望の遊技機を選択して使用する必要があり、開店前から店の前に行列を作って待機しなければならいない。したがって、利用者に対して時間的制約や身的負担を課すことになり、個々の利用者の都合に応じて容易に遊技できる環境を提供できないという問題点があった。本発明はこのような課題を解決するためのものであり、利用者に対して時間的制約や身的負担を課すことなく、個々の利用者の都合に応じて容易に遊技できる遊技システム、パチンコ台管理装置、パチンコ台およびカード処理装置を提供することを目的としている。
【０００５】
【課題を解決するための手段】
このような目的を達成するために、本発明にかかる遊技システムは、遊技場に配置された複数のパチンコ台と接続され、これらパチンコ台を管理するパチンコ台管理装置と、各パチンコ台ごとにそれぞれ併設され、当該パチンコ台へパチンコ玉を供給するとともに、その供給に応じた額だけ利用者ごとに発行されたカード内に記憶されている有価価値情報を減算する複数のカード処理装置と、各カード処理装置と接続され、これらカード処理装置を管理するカード管理装置と、カードを発行した利用者の認証情報とその利用者のカード内に記憶されている有価価値情報を含む利用者データを管理するカード管理センタと、パチンコ台管理装置とカード管理装置とに接続され、カード管理装置によりカード管理センタからダウンロードされた各利用者の利用者データを記憶する利用者データ管理装置とを設けたものである。
【０００６】
そして、パチンコ台管理装置では、通信網を介した利用者からの予約要求を受け付けて、その予約要求で通知された利用者の認証情報を含む予約可否判断要求を利用者データ管理装置へ送信するとともに、これに応じた利用者データ管理装置からの予約許可通知に応じて、当該利用者の所望するパチンコ台に対して認証情報を含む予約指示を行い、利用者データ管理装置では、パチンコ台管理装置からの予約可否判断要求に応じて、その予約可否判断要求に含まれる認証情報の正当性を、当該利用者データ管理装置で記憶している利用者データにより確認するとともに、その利用者データに含まれる有価価値情報が所定残高以上であることを確認し、これら正当性および残高の確認が得られた場合にのみ予約許可通知をパチンコ台管理装置へ通知し、パチンコ台で、パチンコ台管理装置からの予約指示に応じて当該パチンコ台が予約状態であることを記憶するとともに、予約指示に含まれる認証情報を含む予約指示を当該カード処理装置へ通知し、そのカード処理装置からの予約者確認通知に応じて予約状態を解除して遊技可能状態とし、カード処理装置では、予約者確認操作を受け付けるための操作入力部を有し、パチンコ台から通知された予約指示に応じてカード投入口を閉扉するとともにその予約指示に含まれる認証情報を記憶しておき、操作入力部で当該パチンコ台で遊戯を開始する際の予約者確認操作が行われた場合は、その際入力された操作内容と記憶しておいた認証情報とを比較して、その一致によりカード投入口を開扉し、その後投入された利用者のカード内に記憶されている認証情報と、記憶しておいた認証情報とを比較し、その一致により利用者が予約者であると確認された場合にのみ、当該パチンコ台へのパチンコ玉を供給可と判断するとともに、遊技許可を示す予約者確認通知を当該パチンコ台へ通知するようにしたものである。
【０００７】
また本発明にかかる他の遊技システムは、遊技場に配置された複数のパチンコ台と接続され、これらパチンコ台を管理するパチンコ台管理装置と、各パチンコ台ごとにそれぞれ併設され、当該パチンコ台へパチンコ玉を供給するとともに、その供給に応じた額だけ利用者ごとに発行されたカード内に記憶されている有価価値情報を減算する複数のカード処理装置と、各カード処理装置と接続され、これらカード処理装置を管理するカード管理装置と、カードを発行した利用者の認証情報とその利用者のカード内に記憶されている有価価値情報を含む利用者データを管理するカード管理センタと、パチンコ台管理装置とカード管理装置とに接続され、カード管理装置によりカード管理センタからダウンロードされた各利用者の利用者データを記憶する利用者データ管理装置とを設けたものである。
【０００８】
そして、パチンコ台管理装置では、通信網を介した利用者からの予約要求を受け付けて、その予約要求で通知された利用者の認証情報の正当性を、利用者データ管理装置で記憶する利用者データに基づき確認するとともに、その利用者データに含まれる有価価値情報が所定残高以上であることを確認し、これら正当性および残高の確認が得られた場合にのみ、当該利用者の所望するパチンコ台に対して認証情報を含む予約指示を行い、パチンコ台では、パチンコ台管理装置からの予約指示に応じて当該パチンコ台が予約状態であることを記憶するとともに、予約指示に含まれる認証情報を含む予約指示を当該カード処理装置へ通知し、そのカード処理装置からの予約者確認通知に応じて予約状態を解除して遊技可能状態とし、カード処理装置では、予約者確認操作を受け付けるための操作入力部を有し、パチンコ台から通知された予約指示に応じてカード投入口を閉扉するとともにその予約指示に含まれる認証情報を記憶しておき、操作入力部で当該パチンコ台で遊戯を開始する際の予約者確認操作が行われた場合は、その際入力された操作内容と記憶しておいた認証情報とを比較して、その一致によりカード投入口を開扉し、その後投入された利用者のカード内に記憶されている認証情報と、記憶しておいた認証情報とを比較し、その一致により利用者が予約者であると確認された場合にのみ、当該パチンコ台へのパチンコ玉を供給可と判断するとともに、遊技許可を示す予約者確認通知を当該パチンコ台へ通知するようにしたものである。
【０００９】
予約者以外の利用者に対して当該パチンコ台が予約されていることを通知するために、パチンコ台またはカード処理装置に、当該パチンコ台が予約状態であることを表示する予約表示手段を設けてもよい。
予約者から予約代金を徴収するために、カード処理装置で、利用者が予約者であると確認された場合に、当該利用者のカード内に記憶されている有価価値情報からその予約代金分を減額するようにしてもよい。
【００１０】
予約履行のための他の構成として、カード処理装置に代えて、パチンコ台管理装置とカード管理装置とに接続され、カード管理装置によりカード管理センタからダウンロードされた各利用者の利用者データを記憶する利用者データ管理装置を設け、カード処理装置では、カード投入口の開扉操作を受け付けるための操作入力部を有し、パチンコ台から通知された予約指示に応じてカード投入口を閉扉するとともにその予約指示に含まれる認証情報を記憶しておき、操作入力部での当該パチンコ台で遊戯を開始する際の開扉操作に応じてカード投入口を開扉し、その後投入された利用者のカード内に記憶されている認証情報と、記憶しておいた認証情報とを比較し、その一致により利用者が予約者であると確認された場合にのみ、当該パチンコ台へのパチンコ玉を供給可と判断するとともに、遊技許可を示す予約者確認通知を当該パチンコ台へ通知するようにしてもよい。
【００１１】
さらに、カード処理装置では、カード投入口を開扉する際、操作入力部から入力されたカード識別情報または暗証情報と、認証情報に含まれている予め各利用者ごとに設定したカード識別情報または暗証情報とを比較し、その一致に応じてカード投入口を開扉するようにしてもよい。
【００１４】
また本発明にかかるカード処理装置は、遊技場に配置された複数のパチンコ台と接続され、これらパチンコ台を管理するパチンコ台管理装置と、各パチンコ台ごとにそれぞれ併設され、当該パチンコ台へパチンコ玉を供給するとともに、その供給に応じた額だけ利用者ごとに発行されたカード内に記憶されている有価価値情報を減算する複数のカード処理装置と、各カード処理装置と接続され、これらカード処理装置を管理するカード管理装置と、カードを発行した利用者の認証情報とその利用者のカード内に記憶されている有価価値情報を含む利用者データを管理するカード管理センタと、パチンコ台管理装置とカード管理装置とに接続され、カード管理装置によりカード管理センタからダウンロードされた各利用者の利用者データを記憶する利用者データ管理装置とからなる遊技システムで用いられるカード処理装置であって、予約者確認操作を受け付けるための操作入力部を有し、通信網を介した利用者からの予約要求に応じたパチンコ台管理装置からの予約指示を当該パチンコ台を介して受信し、その予約指示に応じてカード投入口を閉扉するとともにその予約指示に含まれる予約要求で通知された利用者の認証情報を記憶しておき、操作入力部で当該パチンコ台で遊戯を開始する際の予約者確認操作が行われた場合は、その際入力された操作内容と記憶しておいた認証情報とを比較して、その一致によりカード投入口を開扉し、その後投入された利用者のカード内に記憶されている認証情報と、記憶しておいた認証情報とを比較し、その一致により利用者が予約者であると確認された場合にのみ、当該パチンコ台へのパチンコ玉を供給可と判断するとともに、遊技許可を示す予約者確認通知を当該パチンコ台へ通知するようにしたものである。
【００１５】
【発明の実施の形態】
次に、本発明の実施の形態について図面を参照して説明する。
図１は本発明の一実施の形態にかかる遊技システムを示すブロック図である。この遊技システムは、パチンコ台１、カード処理装置２，パチンコ台管理装置３、利用者データ管理装置７、カード管理装置５、カード管理センタ７０から構成される。
本発明にかかる遊技システムは、予め利用者ごとに発行したカード４０に格納されている有価価値情報を用いてパチンコ台が利用されるシステムを前提としている。
【００１６】
図２にパチンコ台１とカード処理装置２のブロック図を示す。
パチンコ台１は、パチンコ店１０に複数配置されており、それぞれのパチンコ台１に併設されているカード処理装置２から供給されたパチンコ玉を用いて遊技を行う。
このパチンコ台１には、伝送部１１，制御部１２、伝送部１３、メモリ１４、予約表示部１５、操作入力部１６、遊技制御部１７が設けられている。
伝送部１１は、伝送路４を介してパチンコ台管理装置３とデータ通信を行うために用いられる。
制御部１２は、ＣＰＵやそのＣＰＵで実行するプログラムを格納するＲＯＭなどの回路部からなり、パチンコ台１全体を制御する。
【００１７】
伝送部１３は、当該パチンコ台１に併設されているカード処理装置２と伝送路８を介してデータ通信を行うために用いられる。
メモリ１４は、当該パチンコ台１の予約状態を示す予約状態情報のほか、制御部１２での制御に必要な情報を記憶する。予約表示部１５は、当該パチンコ台１が予約状態か否かを表示することにより、予約者以外の利用者へ当該パチンコ台１の使用可否を報知する。
操作入力部１６は、パチンコ玉の貸し出し要求操作を利用者から受け付けるためのキースイッチである。
遊技制御部１７は、カード処理装置２から供給されたパチンコ玉を用いたパチンコ台１における遊技自体を制御する。
【００１８】
カード処理装置２は、各パチンコ台１ごとに併設され、当該パチンコ台１からの指示に応じて、利用者により挿入されているカード４０に格納されている有価価値情報の減額と引き替えにパチンコ玉を貸し出し、当該パチンコ台１に対してそのパチンコ玉を供給する。
このカード処理装置２には、制御部２１、伝送部２２、メモリ２３、操作入力部２４、シャッタ２５、搬送制御部２６、カード収納部２７、伝送部２８および玉出制御部２９が設けられている。
【００１９】
制御部２１は、ＣＰＵやそのＣＰＵで実行するプログラムを格納するＲＯＭなどの回路部からなり、カード処理装置２全体を制御する。
伝送部２２は、伝送路６を介してカード管理装置５とデータ通信を行うために用いられる。
メモリ２３は、当該パチンコ台１を予約した利用者の認証情報や制御部２１での制御に用いる情報を記憶する。
操作入力部２４は、当該パチンコ台１を予約した利用者（予約者）が予約履行する際すなわち予約したパチンコ台１を使用する際、その予約履行操作を受け付けるためのキースイッチである。
【００２０】
シャッタ２５は、当該カード処理装置２のカード投入口に設けられ、当該パチンコ台１が予約状態にある場合は閉扉されて、誤ったカード４０の投入を抑制するために用いられる。
搬送制御部２６は、カード投入口と当該カード処理装置２内部のカード読み書き位置との間でカード４０を搬送する。
カード収納部２７は、有価価値情報がゼロとなったカード４０を収納する。
伝送部２８は、当該パチンコ台１と伝送路８を介してデータ通信を行うために用いられる。
玉出制御部２９は、当該パチンコ台に対してパチンコ玉２９Ａの供給を行う。
【００２１】
図３にパチンコ台管理装置３のブロック図を示す。
パチンコ台管理装置３は、パチンコ店１０に設置されており、その店内に配置されている複数のパチンコ台１と伝送路４を介してデータ通信を行うことにより、各パチンコ台１の予約および予約キャンセル、さらには予約状況を管理する。また、電話網５０を介して接続された利用者２０の電話機例えば移動体端末３０からパチンコ台予約要求の際、利用者データ管理装置７からの予約可判定通知に応じて所望のパチンコ台の予約を行う。なお、本発明でいう予約とは、パチンコ店１０の開店から所定時間だけ、利用者（予約者）が所望のパチンコ台の優先使用権を得ることをいう。
【００２２】
このパチンコ台管理装置３には、回線制御部３１、制御部３２、伝送部３３，３４およびメモリ３５が設けられている。
回線制御部３１は、電話回線５０Ａを介して電話網５０と接続され、同じく回線５０Ｂを介して電話網５０と接続されている移動体端末３０を用いた利用者からの予約要求を受け付ける。例えば、回線制御部３１で移動体端末３０からの着呼に自動応答して音声メッセージを送出し、それに応じて利用者のダイヤル操作で移動体端末３０から送出されたトーンダイヤル信号により、予約時に必要なカードＩＤや暗証情報、さらにはパチンコ台番号などを受信するようにしてもよく、またインターネットを介した移動体端末３０からのｗｅｂページへのアクセスにより予約を受け付けるようにしてもよい。
【００２３】
制御部３２は、ＣＰＵやそのＣＰＵで実行するプログラムを格納するＲＯＭなどの回路部からなり、パチンコ台管理装置３全体を制御する。
伝送部３３は、伝送路３Ａを介して利用者データ管理装置７とデータ通信を行うために用いられる。
伝送部３４は、伝送路４を介して各パチンコ台１とデータ通信を行うために用いられる。
メモリ３５は、各パチンコ台１の予約状況を記憶する。
【００２４】
図４にカード管理装置５のブロック図を示す。
カード管理装置５は、パチンコ店１０に設置されており、その店内の各パチンコ台１にそれぞれ併設されている複数のカード処理装置２と伝送路６を介してデータ通信を行うことにより、各カード処理装置２を管理する。
【００２５】
また、カード管理装置５は、通信回線６０Ａを介して通信網６０に接続されており、同じく通信回線６０Ｂを介して通信網６０に接続されているカード管理センタ７０とデータ通信を行うことにより、カード管理センタ７０で管理している各カード４０の利用者データをダウンロードする。そして、伝送路５Ａを介して接続されている利用者データ管理装置７へその利用者データを格納する。
また、各カード処理装置２でカードの有価価値情報から削減された額すなわちパチンコ店１０で消費された消費額を集計し、決済に関する決済情報としてカード管理センタ７０へ通知する。
【００２６】
カード管理装置５には、通信制御部５１、制御部５２、伝送部５３，５４、メモリ５５が設けられている。
通信制御部５１は、通信回線６０Ａを介してカード管理センタ７０とデータ通信を行うために用いられる。
制御部５２は、ＣＰＵやそのＣＰＵで実行するプログラムを格納するＲＯＭなどの回路部からなり、カード管理装置５全体を制御する。
【００２７】
伝送部５３は、伝送路５Ａを介して利用者データ管理装置７とデータ通信を行うために用いられる。
伝送部５４は、伝送路６を介して各カード処理装置２とデータ通信を行うために用いられる。
メモリ５５は、カード管理センタ７０からダウンロードした利用者データを記憶する。
【００２８】
図５に利用者データ管理装置７のブロック図を示す。
利用者データ管理装置７は、パチンコ店１０に配置されており、その店内に配置されているカード管理装置５と伝送路５Ａを介してデータ通信を行うことにより、カード管理センタ７０からダウンロードされた利用者データを受け取って記憶する。
また、伝送路３Ａを介してパチンコ台管理装置３とデータ通信を行うことにより、利用者からの予約要求時におけるパチンコ台管理装置３からの予約可否判断要求を受け付けて、記憶している利用者データを元にして予約可否判定を行い、その判定結果を返送する。
【００２９】
利用者データ管理装置７には、伝送路７１，７４、制御部７２およびメモリ７３が設けられている。
伝送部７１は、伝送路５Ａを介してカード管理装置５とデータ通信を行うために用いられる。
伝送部７４は、伝送路３Ａを介してパチンコ台管理装置３とデータ通信を行うために用いられる。
制御部７２は、ＣＰＵやそのＣＰＵで実行するプログラムを格納するＲＯＭなどの回路部からなり、利用者データ管理装置７全体を制御する。
【００３０】
カード管理センタ７０は、カードサービス提供者によって運営されており、カードを発行した利用者の認証情報とその利用者のカード内に記憶されている有価価値情報とを含む利用者データを管理する。
そして、カード管理装置５からの利用者データ要求に応じて、利用者データを送信する。また、カード管理装置５からの決済情報を受信し、その後のパチンコ店管理者との間の決済に用いるために格納する。
【００３１】
カード４０は、カード管理センタ７０を運営するカードサービス提供者から、予め利用者ごとに発行される。このカード４０は、全体としてメモリカードやＩＣカードなど、利用者が携帯可能な記録媒体からなり、図１に示すように、メモリ４０Ａが内蔵されている。
メモリ４０Ａには、利用者が所持するカードを識別するためのカードＩＤや利用者の認証を行うための暗証情報（パスワード）からなる認証情報、さらにはパチンコ店での遊技代金すなわちパチンコ玉貸し出し料金や予約料金の支払いに用いられる有価価値情報が格納されている。認証情報や有価価値情報についてはカードサービス提供者によるカード発行時に、メモリ４０Ａへ格納される。
【００３２】
次に、図６を参照して、本実施の形態にかかる遊技システムの動作（予約受付開始時）について説明する。図６はパチンコ店１０の予約受付開始時における遊技システムの動作を示すシーケンス図である。
まず、パチンコ店１０では、利用者からの予約受付時にその予約可否判断で用いる利用者データを取得するため、パチンコ店１０が閉店した後、予約受付開始する前にカード管理装置５から通信網６０を介してカード管理センタ７０へ利用者データ要求を通知する（ステップ１００）。このとき、それまでにカード管理装置５で保持している決済情報をカード管理センタ５へ送信するようにしてもよい。
【００３３】
これに応じて、カード管理センタ７０から送信された利用者データを受信する（ステップ１０１）。そして、その利用者データを利用者データ管理装置７へ送信して（ステップ１０２）、利用者データ管理装置７で格納する（ステップ１０３）。
また、パチンコ台管理装置３では、各利用者が所望のパチンコ台１に対して予約可能な最大予約時間、すなわちパチンコ店の開店からその利用者が予約したパチンコ台で遊技を開始するまでの最大時間長を設定する（ステップ１０５）。このとき、管理者が最大予約時間を操作入力して設定してもよく、予め記憶している最大予約時間を自動設定してもよい。
このようにして、予約開始時における一連の処理が終了し、予約の受付が開始される。
【００３４】
次に、図７を参照して、本実施の形態にかかる遊技システムの動作（予約受付時）について説明する。図７はパチンコ店１０での予約受付時における遊技システムの動作を示すシーケンス図である。
パチンコ店１０のパチンコ台管理装置３では、電話網５０を介した利用者２０の移動体端末３０からの予約要求に応じて、移動体端末３０から送信されたカードＩＤおよび暗証情報（パスワード）からなる認証情報を受信する（ステップ１１０）。
そして、その認証情報を含む予約可否判断要求を利用者データ管理装置７へ送信する（ステップ１１１）。
【００３５】
利用者データ管理装置７では、パチンコ台管理装置３からの予約可否判断要求に応じて、予めカード管理センタ７０からダウンロードしておいた利用者データを参照し、予約可否判定を行う（ステップ１１２）。
この予約可否判定では、その予約可否判断要求に含まれている認証情報すなわちカードＩＤおよび暗証番号と、利用者データのそれとを照合することにより正当性を確認する。
また、そのカードＩＤに対応する有価価値情報の額を利用者データで確認し、所定の残高、例えば予約に必要な予約代金分、さらには予約不履行代金分の支払いが可能な残高があるかどうか確認する。
【００３６】
そして、その照合により正当性が確認され、かつ所定残高が確認された場合にのみ予約可を示す予約可否応答を返送し（ステップ１１３）、正当性および所定残高の両方が確認できなかった場合は、予約不可を示す予約可否応答を返送する。
パチンコ台管理装置３では、利用者データ管理装置７からの予約可否応答が予約可を示す場合にのみ、各パチンコ台１の予約状況を確認し（ステップ１１４）、その空き台状況を音声メッセージなどにより移動体端末３０へ通知する（ステップ１１５）。
また、上記予約可否応答が予約不可を示す場合には、その旨を示す音声メッセージを移動体端末３０へ通知し、予約受付を終了する。
【００３７】
その後、利用者は、所望のパチンコ台を選択し、移動体端末３０を操作してその台番号を送信する（ステップ１２０）。
パチンコ台管理装置３では、この台番号を受信して、先に受信した認証情報を含む予約指示１２１を当該パチンコ台１へ送信する（ステップ１２１）。
パチンコ台１では、パチンコ台管理装置３からの予約指示に応じて、予約表示部１５（図２参照）へ当該パチンコ台１が予約されたことを表示するとともに（ステップ１２２）、予約状態に移行したことおよびその認証情報を記憶する（ステップ１２３）。
【００３８】
そして、当該パチンコ台１に併設されているカード処理装置２へ伝送路８を介して上記予約指示を送信する（ステップ１２４）。
カード処理装置２では、パチンコ台１からの予約指示に応じて、その予約指示に含まれるカードＩＤおよび暗証情報を記憶し（ステップ１２５）、カード投入口のシャッタ２５（図２参照）を閉扉する（ステップ１２６）。なお、予約表示部１５をカード処理装置２に設け、パチンコ台１からの予約指示に応じて予約状態を表示するようにしてもよい。
【００３９】
その後、カード処理装置２では、予約完了通知をパチンコ台１へ返送する（ステップ１２７）。
パチンコ台１では、カード処理装置２からの予約完了通知に応じて、その予約完了通知をパチンコ台管理装置３へ送信する（ステップ１２８）。
パチンコ台管理装置３では、パチンコ台からの予約完了通知に応じて、その旨を示す音声データを移動体端末３０へ送信し（ステップ１２９）、予約受付時における一連の処理を終了する。
【００４０】
このように、パチンコ台管理装置３では、利用者からの予約要求を受け付け、その予約要求で通知された利用者の認証情報と、カード管理センタ７０から予めダウンロードし利用者データ管理装置７で記憶している利用者データの認証情報とを比較し、その一致により予約許可が確認された場合に、当該利用者の所望するパチンコ台１に対してその認証情報を含む予約指示を行い、パチンコ台１では、その予約指示に応じて当該パチンコ台が予約状態であることを記憶するとともに、その予約指示に含まれる認証情報を含む予約指示を当該カード処理装置２へ通知し、そのカード処理装置２からの予約者確認通知に応じて予約状態を解除して遊技可能状態とするようにしたので、従来のように、利用者が開店前から店の前に行列を作って待機する必要がなくなり、利用者に対して時間的制約や身的負担を課すことなく、個々の利用者の都合に応じて容易に遊技できる。
【００４１】
次に、図８を参照して、本実施の形態にかかる遊技システムの動作（予約履行時）について説明する。図８はパチンコ店１０での利用者による予約履行時における遊技システムの動作を示すシーケンス図である。
ここでは、前述した予約受付時の処理（図７参照）により、予めパチンコ台１が利用者により予約されているものとし、パチンコ台１の予約表示部１５により、当該パチンコ台が予約している旨を示す表示が行われている（ステップ１３０）。
【００４２】
利用者が予約したパチンコ台１で遊技を開始する際、すなわち予約履行する際、まず、当該パチンコ台１に併設されているカード処理装置２で予約本人であるという認証を受けた後、自己のカード４０を投入して遊技を開始する。この認証を受ける際、利用者は、操作入力部２４（図２参照）に設けられている暗証情報入力キーと確認キーとを用いて予約者確認操作を行う。
まず、暗証情報入力キーを操作して暗証情報を入力し、確認キーを押下する。これに応じて、カード処理装置２では、操作入力部２４から入力された暗証情報と予約時に通知され記憶しておいた暗証情報とを照合し（ステップ１３１）、その一致に応じてカード投入口のシャッタ２５を開扉する。
【００４３】
続いて、カード処理装置２では、シャッタ２５の開扉に応じて利用者が投入したカード４０のメモリ４０Ａから、認証情報すなわちカードＩＤと暗証情報とを読み取り（ステップ１３２）、予約時に通知され記憶しておいた認証情報すなわちカードＩＤと暗証情報と照合する（ステップ１３３）。
そして、その照合一致に応じて当該利用者が予約者であり遊技可であると判断し、当該パチンコ台１へ伝送路８を介して予約者確認通知（遊技許可）を通知する（ステップ１３４）。
【００４４】
パチンコ台１では、カード処理装置２からの予約者確認通知に応じて、予約状態を解除するとともに、パチンコ台管理装置３に対して予約が履行された旨を示す予約履行通知を行う（ステップ１３５）。パチンコ台管理装置３では、この予約履行通知の有無に応じて、後述する予約不履行の確認を行う。
その後、パチンコ台１では、予約表示部１５での予約表示を終了し、遊技可能である旨の表示を行った後（ステップ１３６）、そのカード処理装置２へ確認応答を返送する（ステップ１３７）。
カード処理装置２では、この確認通知に応じて、カード４０のメモリ４０Ａで記憶している有価価値情報から、パチンコ台の予約に必要な予約代金分の額を減算し（ステップ１３８）、そのカードから有価価値情報を減算したことを示すカード消費通知をカード管理装置５へ通知する（ステップ１３９）。
【００４５】
カード管理装置５では、カード処理装置２からのカード消費通知に応じて、カード管理センタ７０との決済に用いるための決済情報として、そのカード消費通知の内容を記憶する（ステップ１４０）。これにより予約履行時の処理が終了する。
この後、利用者から指定された金額相当分のパチンコ玉がカード処理装置２からパチンコ台１へ供給され、遊技が開始される。
【００４６】
次に、図９を参照して、本実施の形態にかかる遊技システムの動作（予約不履行時）について説明する。図９は利用者により予約が履行されない予約不履行時における遊技システムの動作を示すシーケンス図である。
パチンコ台管理装置３では、各パチンコ台のうち予約されているパチンコ台について、開店時から予め設定されている最大予約可能時間が経過した時点で、予約履行されたかどうか確認する（ステップ１５０）。
ここで、予約不履行が見つかった場合は、そのパチンコ台１へ予約解除を通知する（ステップ１５１）。
【００４７】
パチンコ台１では、パチンコ台管理装置３からの予約解除の通知に応じて、それまで設定されていた予約状態を解除して使用可能状態を設定する（ステップ１５２）。そして、予約表示部１５での予約表示を終了し、遊技可能である旨の表示を行うとともに（ステップ１５３）、その予約解除を併設されているカード処理装置２へ通知する（ステップ１５４）。
カード処理装置２では、パチンコ台１からの予約解除の通知に応じて、カード投入口のシャッタ２５を開扉し（ステップ１５５）、その予約時に通知されたカードＩＤとその予約解除に相当する額とを含むカード消費残をカード管理装置５へ通知する（ステップ１５６）。
【００４８】
カード管理装置５では、カード処理装置２からのカード消費残の通知に応じて、以後、そのカード消費残通知で指定されたカードＩＤを有するカードがいずれかのカード処理装置２へ投入された時点で、その残高を減額するために、そのカード消費残通知の内容を記憶する（ステップ１５７）。これにより、予約不履行時における一連の処理が終了する。
【００４９】
次に、図１０を参照して、本実施の形態にかかる遊技システムの動作（再来店時）について説明する。図１０は利用者が予約不履行した後に再来店した場合の遊技システムの動作を示すシーケンス図である。なお、予約中に他のパチンコ台１へカードを投入した場合にも、以下と同様の処理を行うこともできる。その場合は、予約中のパチンコ台での予約を解除するようにしてもよい。
利用者が任意のパチンコ台１で遊技するためにカード４０を投入した場合（ステップ１６０）、カード処理装置２では、そのカード４０のメモリ４０Ａに格納されている利用者データを読み出す。
【００５０】
一方、利用者はパチンコ台１の操作入力部１６（図２参照）を操作して、遊技に用いる金額を入力する。これに応じて、パチンコ台１では、入力された金額をカード処理装置２へ通知する（ステップ１６１）。
カード処理装置２では、パチンコ台１からの金額通知に応じて、指定された金額分をカード４０のメモリ４０Ａに格納されている有価価値情報から減額し（ステップ１６２）、その金額相当分の数のパチンコ玉２９Ａを玉出制御部２９からパチンコ台１へ供給する（ステップ１６３）。また、そのカード４０から有価価値情報を減算したことを示すカード消費通知をカード管理装置５へ通知する（ステップ１６４）。
【００５１】
カード管理装置５では、カード処理装置２からのカード消費通知に応じて、カード管理センタ７０との決済に用いるための決済情報として、そのカード消費通知の内容を記憶する（ステップ１６５）。
そして、そのカード消費通知に含まれるカードＩＤが、過去に予約不履行してその予約解除相当分の減額が未請求のＩＤか確認し（ステップ１６６）、減額未請求のＩＤであった場合は、その未請求額を指定したカード消費要求をカード処理装置２へ通知する（ステップ１６７）。
【００５２】
カード処理装置２では、カード管理装置５からのカード減額要求に応じて、投入されているカード４０の有価価値情報を、指定された未請求額だけ減額し（ステップ１６８）、そのカード４０から有価価値情報を減算したことを示すカード消費通知をカード管理装置５へ通知する（ステップ１６９）。
カード管理装置５では、カード処理装置２からのカード消費通知に応じて、カード管理センタ７０との決済に用いるための決済情報として、そのカード消費通知の内容を記憶する（ステップ１７０）。これにより、再来店時における一連の処理が終了する。
【００５３】
以上では、予約受付時の処理において、パチンコ台管理装置３から利用者データ管理装置７へ、利用者の予約可否判断を要求し、利用者データ管理装置７で予めカード管理センタ７０からダウンロードしておいた利用者データを用いて予約可否判定を行う場合を例として説明したが、これに限定されるものではない。
例えば、パチンコ台管理装置３において、当該利用者に関する利用者データを利用者データ管理装置７から読み出して、パチンコ台管理装置３で予約可否判定を行うようにしてもよい。
なお、利用者データ管理装置７については、上記のように独立した装置としてパチンコ店１０内に設けてもよいが、パチンコ台管理装置３内部に設けてもよく、さらにはカード管理装置５内部に設けてもよい。
【００５４】
また、利用者データ管理装置７をカード管理センタ７０で実現してもよい。この場合は、パチンコ台管理装置３とカード管理装置５とを伝送路で接続し、予約受付時にパチンコ台管理装置３からカード管理装置５へ予約可否判断要求を行い、これに応じてカード管理装置５でカード管理センタ７０とデータ通信を行うことにより、カード管理センタ７０内の利用者データを用いて予約可否判定を行えばよい。このとき、パチンコ台管理装置３とカード管理装置５とを伝送路で直接接続せず、伝送路４−パチンコ台１−伝送路８−カード処理装置２−カード管理装置５という経路で、予約可否判断要求および予約可否応答をやり取りするようにしてもよい。
【００５５】
また、予約できる時間長については、固定的に決定してもよく、カード４０内の有価価値情報の残高に応じた最大予約可能時間長以内で利用者に選択させるようにしてもよい。
予約代金や予約不履行代金の額については、固定制（１回の予約ごと）あるいは従量制（単位予約時間ごと）で設定してもよい。またすべてのパチンコ台１について同じ代金を設定してもよく、各パチンコ台１で個別に、あるいは設置（島）単位や機種単位で設定してもよい。
【００５６】
【発明の効果】
以上説明したように、本発明は、パチンコ台管理装置で、利用者からの予約要求を受け付け、予約要求で通知された利用者の認証情報と、カード管理センタから予めダウンロードし利用者データ管理装置で記憶している利用者データの認証情報との比較により予約許可が確認された場合に、当該利用者の所望するパチンコ台に対してその認証情報を含む予約指示を行い、パチンコ台で、その予約指示に応じて当該パチンコ台が予約状態であることを記憶するとともに、その予約指示に含まれる認証情報を含む予約指示を当該カード処理装置へ通知し、そのカード処理装置からの予約者確認通知に応じて予約状態を解除して遊技可能状態とするようにしたので、従来のように、利用者が開店前から店の前に行列を作って待機する必要がなくなり、利用者に対して時間的制約や身的負担を課すことなく、個々の利用者の都合に応じて容易に遊技できる。
【図面の簡単な説明】
【図１】  本発明の一実施の形態による遊技システムを示すブロック図である。
【図２】  パチンコ台およびカード処理装置を示すブロック図である。
【図３】  パチンコ台管理装置を示すブロック図である。
【図４】  カード管理装置を示すブロック図である。
【図５】  利用者データ管理装置７を示すブロック図である。
【図６】  遊技システムの動作（予約受付開示時）を示すシーケンス図である。
【図７】  遊技システムの他の動作（予約受付時）を示すシーケンス図である。
【図８】  遊技システムの他の動作（予約履行時）を示すシーケンス図である。
【図９】  遊技システムの他の動作（予約不履行時）を示すシーケンス図である。
【図１０】  遊技システムの他の動作（再来店時）を示すシーケンス図である。
【符号の説明】
１…パチンコ台、２…カード処理部、３…パチンコ台管理装置、４，６，８…伝送路、５…カード管理装置、７…利用者データ管理装置、１０…パチンコ店、２０…利用者、３０…移動体端末、４０…カード、４０Ａ…メモリ、５０…電話網、５０Ａ…電話回線、５０Ｂ…回線、６０…通信網、６０Ａ，６０Ｂ…通信回線、７０…カード管理センタ、１１，１３…伝送部、１２…制御部、１４…メモリ、１５…予約表示部、１６…操作入力部、１７…遊技制御部、２…カード処理部、２１…制御部、２２，２８…伝送部、２３…メモリ、２４…操作入力部、２５…シャッタ、２６…搬送制御部、２７…カード収納部、２９…玉出制御部、２９Ａ…パチンコ玉、３１…回線制御部、３２…制御部、３３，３４…伝送部、３５…メモリ、５１…通信制御部、５２…制御部、５３，５４…伝送部、５５…メモリ、７１，７４…伝送部、７２…制御部、７３…メモリ。
【図１】
0004192434.tif 000002
【図２】
0004192434.tif 000003
【図３】
0004192434.tif 000004
【図４】
0004192434.tif 000005
【図５】
0004192434.tif 000006
【図６】
0004192434.tif 000007
【図７】
0004192434.tif 000008
【図８】
0004192434.tif 000009
【図９】
0004192434.tif 000010
【図１０】
0004192434.tif 000011